(57)【要約】【課題】植物の生育管理をパーソナル・コンピュータの周辺機器として行うことができる植物生育装置を提供すること。【解決手段】植物生育装置１では、フード部５の外部から鉢植え４を照らすＬＥＤ発光源６の動作制御及びフード部５の外部から鉢植え４を撮影するＣＣＤカメラ７の動作制御を行う制御機器８にＵＳＢポート９を備え、そのＵＳＢポート９を介して、制御機器８に電力供給が行われるとともにＣＣＤカメラ７からの画像データが転送されることから、光や成長記録などの植物の生育管理をパーソナル・コンピュータの周辺機器として行うことができる。【選択図】図１
2007104932.tif 000002
【特許請求の範囲】
【請求項１】
鉢植えと、
前記鉢植えを覆う透明のフード部と、
前記フード部の外部から前記鉢植えを照らすＬＥＤ発光源と、
前記フード部の外部から前記鉢植えを撮影するＣＣＤカメラと、
前記ＬＥＤ発光源及び前記ＣＣＤカメラの動作制御を行う制御機器と、
前記制御機器に設けられたＵＳＢポートと、を備え、
前記ＵＳＢポートを介して、前記制御機器に電力供給が行われるとともに前記ＣＣＤカメラからの画像データが転送されること、を特徴とする植物生育装置。
【請求項２】
請求項１に記載する植物生育装置であって、
前記ＬＥＤ発光源を面光源とする導光板を備えたこと、を特徴とする植物生育装置。
【請求項３】
請求項１又は請求項２に記載する植物生育装置であって、
前記制御機器から突出したフレキシブルケーブルを備え、
前記フレキシブルケーブルの先端に前記ＣＣＤカメラを設けたこと、を特徴とする植物生育装置。
【請求項４】
請求項１乃至請求項３のいずれか１つに記載する植物生育装置であって、
前記鉢植えに給水するためのノズルが設けられた給水器を前記制御機器で動作制御を行うこと、を特徴とする植物生育装置。
【発明の詳細な説明】
【技術分野】
【０００１】
本発明は、ＵＳＢ電源を使用した植物生育装置に関するものである。
【背景技術】
【０００２】
従来より、パーソナル・コンピュータと周辺機器を接続するインターフェースとしてＵＳＢがあるが、このＵＳＢデバイスでは、データ転送と同時に電力供給を行うことができる（例えば、特許文献１参照）。
【特許文献１】特開２００１−３４３６７号公報
【０００３】
そこで、近年では、パーソナル・コンピュータの周辺機器として、パーソナル・コンピュータのＵＳＢポートを家庭用電源のコンセントとして使用する便利グッズ、例えば、ミニ扇風機や、ライト、充電器、マイナスイオン発生器、空気清浄機、ミニ水槽などが開発されており、パーソナル・コンピュータのユーザーに対して利便性を提供している。
【０００４】
特に、ミニ水槽については、ＵＳＢポートからの電源で水槽内の模型の魚を泳ぎ回らせたり照明用ＬＥＤでライトアップさせているので、パーソナル・コンピュータの周辺にミニ水槽が配置されることにより、当該パーソナル・コンピュータのユーザーを癒す空間を作り出すことができる。
【発明の開示】
【発明が解決しようとする課題】
【０００５】
しかしながら、これらの便利グッズは、パーソナル・コンピュータのユーザーが当該パーソナル・コンピュータの周辺で使用するミニ電化製品やミニおもちゃという傾向が強い。従って、例えば、光や水などの生育環境の管理が必要な植物などは、人を癒す空間を作り出すことができるにもかかわらず、パーソナル・コンピュータの周辺機器（上記便利グッズ）の対象とされることはなかった。
【０００６】
そこで、本発明は、上述した点を鑑みてなされたものであり、植物の生育管理をパーソナル・コンピュータの周辺機器として行うことができる植物生育装置を提供することを課題とする。
【課題を解決するための手段】
【０００７】
この課題を解決するために成された請求項１に係る発明は、植物生育装置(例えば、植物生育装置１)であって、鉢植え(例えば、鉢植え４)と、前記鉢植え(例えば、鉢植え４)を覆う透明のフード部（例えば、フード部５）と、前記フード部（例えば、フード部５）の外部から前記鉢植え(例えば、鉢植え４)を照らすＬＥＤ発光源（例えば、ＬＥＤ発光源６）と、前記フード部（例えば、フード部５）の外部から前記鉢植え(例えば、鉢植え４)を撮影するＣＣＤカメラ（例えば、ＣＣＤカメラ７）と、前記ＬＥＤ発光源（例えば、ＬＥＤ発光源６）及び前記ＣＣＤカメラ（例えば、ＣＣＤカメラ７）の動作制御を行う制御機器（例えば、制御機器８）と、前記制御機器（例えば、制御機器８）に設けられたＵＳＢポート（例えば、ＵＳＢポート９）と、を備え、前記ＵＳＢポート（例えば、ＵＳＢポート９）を介して、前記制御機器（例えば、制御機器８）に電力供給が行われるとともに前記ＣＣＤカメラ（例えば、ＣＣＤカメラ７）からの画像データが転送されること、を特徴としている。
【０００８】
また、請求項２に係る発明は、請求項１に記載する植物生育装置(例えば、植物生育装置１)であって、前記ＬＥＤ発光源（例えば、ＬＥＤ発光源６）を面光源とする導光板（例えば、導光板１０）を備えたこと、を特徴としている。
【０００９】
また、請求項３に係る発明は、請求項１又は請求項２に記載する植物生育装置(例えば、植物生育装置１)であって、前記制御機器（例えば、制御機器８）から突出したフレキシブルケーブル（例えば、フレキシブルケーブル１１）を備え、前記フレキシブルケーブル（例えば、フレキシブルケーブル１１）の先端に前記ＣＣＤカメラ（例えば、ＣＣＤカメラ７）を設けたこと、を特徴としている。
【００１０】
また、請求項４に係る発明は、請求項１乃至請求項３のいずれか１つに記載する植物生育装置(例えば、植物生育装置１)であって、前記鉢植え（例えば、鉢植え４）に給水するためのノズル（例えば、ノズル１３）が設けられた給水器（例えば、給水器１２）を前記制御機器（例えば、制御機器８）で動作制御を行うこと、を特徴としている。
【発明の効果】
【００１１】
すなわち、本発明の植物生育装置では、フード部の外部から鉢植えを照らすＬＥＤ発光源の動作制御及びフード部の外部から鉢植えを撮影するＣＣＤカメラの動作制御を行う制御機器にＵＳＢポートを設け、そのＵＳＢポートを介して、制御機器に電力供給が行われるとともにＣＣＤカメラからの画像データが転送されることから、光や成長記録などの植物の生育管理をパーソナル・コンピュータの周辺機器として行うことができる。
【発明を実施するための最良の形態】
【００１２】
以下、本発明の実施の形態を図面を参照にして説明する。図１は、本実施の形態の植物生育装置１の概要を示した斜視図である。本実施の形態の植物生育装置１は、図１に示すように、草花２が鉢３内の土壌に植え込まれた鉢植え４や、鉢植え４を上部から透明なシートで覆い被したり外したりすることができるフード部５、フード部５の外部から鉢植え４を光で照らすことができるＬＥＤ発光源６、フード部５の外部から鉢植え４をデジタルの画像データで撮影することができるＣＣＤカメラ７、ノズル１３から鉢植え４に水を供給することができる給水器１２、制御機器８などから構成されている。
【００１３】
この点、ＬＥＤ発光源６は、スタンド形式で立てられた湾曲型の導光板１０の湾曲内面側のほぼ中央に支持されており、これにより、ＬＥＤ発光源６から発せられた光が導光板１０で反射されて草花２に照射されるので、ＬＥＤ発光源６が面光源となり、草花２での陰の発生を抑えることができる。また、ＬＥＤ発光源６は、制御機器８とは電気配線Ｌ１で接続されている。
【００１４】
また、ＣＣＤカメラ７は、制御機器８から突設されたフレキシブルケーブル７の先端に固定されており、これによって、制御機器８に電気的にも接続されている。
【００１５】
また、給水器１２においては、給水ホースＨ１，散水ホースＨ２の各一端が差し込まれる一方、給水ホースＨ１の他端には水源が接続されるとともに、散水ホースＨ２の他端にはノズル１３が嵌め込まれている。また、給水器１２は、制御機器８とは電気配線Ｌ１で接続されている。尚、ノズル１３は、鉢３内の土壌に植え込まれた草花２の性質に合わせて、点滴タイプ又は噴霧タイプが選択される。
【００１６】
そして、制御機器８においては、ＵＳＢポート９が設けられており、ＵＳＢポート９を介して、電源の供給やデータの送受信が行われる。
【００１７】
図２は、制御機器８がパーソナル・コンピュータ１００とＵＳＢ接続された際のブロック図である。図２に示すように、パーソナル・コンピュータ１００は、本体１０１と、ディスプレイ１０２、キーボード１０３、マウス１０４などを有している。本体１０１においては、図示しないが、ＣＰＵや、ＲＯＭ、ＲＡＭ、ＨＤなどのメモリ等を内蔵している。そして、パーソナル・コンピュータ１００は、ＵＳＢケーブル５１を介して、制御機器８に接続される。
【００１８】
一方、制御機器８は、ＵＳＢケーブル５１の周辺機器側ＵＳＢコネクタ５２が着脱されるＵＳＢポート９と、電源ユニット２１、主制御回路２２、ＣＣＤカメラ制御回路２３、発光源制御回路２４、給水器制御回路２５などが実装されている。
【００１９】
この点、給水器制御回路２５は、図示しないが、ＣＰＵや、ＲＯＭ、ＲＡＭなどを有するとともに、給水器１２内で給水ホースＨ１と散水ホースＨ２の連通流路に設置された電動のバルブ３１に接続される。そして、給水器制御回路２５においては、ＲＯＭに記憶された制御プログラムをＲＡＭに記憶された実行条件の下でＣＰＵが実行することにより、バルブ３１の開閉動作を制御して、鉢植え４に対するノズル１３からの水やり間隔や、水やり回数、水やり時刻、水やり時間などを調節する。
【００２０】
また、発光源制御回路２４は、図示しないが、ＣＰＵや、ＲＯＭ、ＲＡＭなどを有するとともに、ＬＥＤ発光源６内のＬＥＤ発光素子３２に接続される。そして、発光源制御回路２４においては、ＲＯＭに記憶された制御プログラムをＲＡＭに記憶された実行条件の下でＣＰＵが実行することにより、ＬＥＤ発光素子３２の点灯動作を制御して、鉢植え４に対するＬＥＤ発光源６からの照射間隔や、照射回数、照射時刻、照射時間などを調節する。
【００２１】
また、ＣＣＤカメラ制御回路２３は、図示しないが、ＣＰＵや、ＲＯＭ、ＲＡＭ、フラッシュ・メモリなどを有するとともに、ＣＣＤカメラ７に接続されており、ＣＣＤカメラ７で撮影された画像データが記憶される。そして、ＣＣＤカメラ制御回路２３においては、ＲＯＭに記憶された制御プログラムをＲＡＭに記憶された実行条件の下でＣＰＵが実行することにより、鉢植え４に対するＣＣＤカメラ７の撮影間隔や撮影回数、撮影時刻、撮影時間（静画と動画の区別）などを調節するとともに、ＣＣＤカメラ７で撮影された画像データの転送時刻などを調節する。
【００２２】
また、主制御回路２２は、図示しないが、ＣＰＵや、ＲＯＭ、ＲＡＭ、フラッシュ・メモリなどを有するとともに、ＵＳＢポート９やＵＳＢケーブル５１を介して、パーソナル・コンピュータ１００から受信した各命令に基づいて、各回路２２，２３，２４，２５などに実行条件の設定指令や、実行指令、停止指令を送信したり、また、ＣＣＤカメラ７で撮影された画像データをＣＣＤカメラ制御回路２３から取得して、パーソナル・コンピュータ１００に転送する。
【００２３】
また、電源ユニット２１は、ＵＳＢポート９やＵＳＢケーブル５１を介して、パーソナル・コンピュータ１００から供給された電力を各回路２２，２３，２４，２５などの仕様等に合わせて提供する。
【００２４】
次に、本実施の形態の植物生育装置１をパーソナル・コンピュータ１００で自動操作するための制御プログラムについて説明する。図３は、パーソナル・コンピュータ１００の側で実行される当該制御プログラムのフローチャート図であり、当該制御プログラムはパーソナル・コンピュータ１００のＲＯＭに記憶されている。また、図４は、本実施の形態の植物生育装置１の側で実行される当該制御プログラムのフローチャート図であり、当該制御プログラムは本実施の形態の植物生育装置１における制御機器８の主制御回路２２のＲＯＭに記憶されている。
【００２５】
すなわち、パーソナル・コンピュータ１００の側（ＣＰＵ）においては、図３にフローチャートが示された制御プログラムを実行すると、先ず、Ｓ１１において、本実施の形態の植物生育装置１が停止中であるか否かを判定する。この判定は、例えば、本実施の形態の植物生育装置１に対し停止中であるか否かをデータ通信で問い合わせることにより行われる。ここで、本実施の形態の植物生育装置１が停止中でないと判定する場合には（Ｓ１１：ＮＯ）、後述するＳ１７にまで進むが、本実施の形態の植物生育装置１が停止中であると判定する場合には（Ｓ１１：ＹＥＳ）、Ｓ１２に進む。
【００２６】
Ｓ１２では、ＣＣＤカメラ７や、ＬＥＤ発光源６、給水器１２の各実行条件を設定するか否かを判定する。この判定は、例えば、パーソナル・コンピュータ１００のディスプレイ１０２上において、ＣＣＤカメラ７や、ＬＥＤ発光源６、給水器１２の各実行条件を設定するか否かの旨を表示し、その表示を見たユーザが、キーボード１０３やマウス１０４などにより、ＣＣＤカメラ７や、ＬＥＤ発光源６、給水器１２の各実行条件を設定するか否かの意思表示を入力することにより行う。ここで、ＣＣＤカメラ７や、ＬＥＤ発光源６、給水器１２の各実行条件を設定しないと判定する場合には（Ｓ１２：ＮＯ）、後述するＳ１７にまで進むが、ＣＣＤカメラ７や、ＬＥＤ発光源６、給水器１２の各実行条件を設定すると判定する場合には（Ｓ１２：ＹＥＳ）、Ｓ１３に進む。
【００２７】
そして、Ｓ１３では、ＣＣＤカメラ７とダウンロードの実行条件を設定する。具体的には、例えば、パーソナル・コンピュータ１００のディスプレイ１０２上において、設定メニューを表示させ、その設定メニュー内の各リスト・ボックスなどで、ＣＣＤカメラ７の撮影間隔や、撮影回数、撮影時刻、撮影時間（静画と動画の区別）、ＣＣＤカメラ７で撮影された画像データの転送時刻などを設定する。
【００２８】
尚、ＣＣＤカメラ７の撮影間隔とは、例えば、毎日・１日おき・２日おき…・切などをいう。また、ＣＣＤカメラ７の撮影回数とは、例えば、１日１回・１日２回・１日３回…などをいう。また、ＣＣＤカメラ７の撮影時刻とは、例えば、午前０時・…・午前９時・…・午後３時などをいう。また、ＣＣＤカメラ７の撮影時間（静画と動画の区別）とは、例えば、瞬時（静画）・５秒間（動画）・１０秒間（動画）…などをいう。また、ＣＣＤカメラ７で撮影された画像データの転送時刻とは、例えば、午前０時・…・午前８時・…・午後１０時などをいう。
【００２９】
そして、Ｓ１４では、ＬＥＤ発光源６の実行条件を設定する。具体的には、例えば、パーソナル・コンピュータ１００のディスプレイ１０２上において、設定メニューを表示させ、その設定メニュー内の各リスト・ボックスなどで、ＬＥＤ発光源６の照射間隔や、照射回数、照射時刻、照射時間などを設定する。
【００３０】
尚、ＬＥＤ発光源６の照射間隔とは、例えば、毎日・１日おき・２日おき…・切などをいう。また、ＬＥＤ発光源６の照射回数とは、例えば、１日１回・１日２回・１日３回…などをいう。また、ＬＥＤ発光源６の照射時刻とは、例えば、午前０時・…・午前９時・…・午後７時などをいう。また、ＬＥＤ発光源６の照射時間とは、例えば、１時間・２時間・３時間…などをいう。
【００３１】
そして、Ｓ１５では、給水器１２の実行条件を設定する。具体的には、例えば、パーソナル・コンピュータ１００のディスプレイ１０２上において、設定メニューを表示させ、その設定メニュー内の各リスト・ボックスなどで、給水器１２の（ノズル３２からの）水やり間隔や、水やり回数、水やり時刻、水やり時間などなどを設定する。
【００３２】
尚、給水器１２の水やり間隔とは、例えば、毎日・１日おき・２日おき…・切などをいう。また、給水器１２の水やり回数とは、例えば、１日１回・１日２回・１日３回…などをいう。また、給水器１２の水やり時刻とは、例えば、午前５時・…・午前８時・…・午後５時などをいう。また、給水器１２の水やり時間とは、例えば、１０秒間・２０秒間・３０秒間…などをいう。
【００３３】
そして、Ｓ１６では、制御機器８に対し、上記Ｓ１３〜Ｓ１５で設定された各実行条件を設定命令とともに送信する。
【００３４】
そして、Ｓ１７では、本実施の形態の植物生育装置１を実行させるか否かを判定する。この判定は、例えば、パーソナル・コンピュータ１００のディスプレイ１０２上において、本実施の形態の植物生育装置１を実行させるか否かの旨を表示し、その表示を見たユーザが、キーボード１０３やマウス１０４などにより、本実施の形態の植物生育装置１を実行させるか否かの意思表示を入力することにより行う。ここで、本実施の形態の植物生育装置１を実行させないと判定した場合には（Ｓ１７：ＮＯ）、後述するＳ１９に進むが、本実施の形態の植物生育装置１を実行させると判定した場合には（Ｓ１７：ＹＥＳ）、Ｓ１８に進んで、制御機器８に対して実行命令を送信する。
【００３５】
その後は、Ｓ１９に進んで、本実施の形態の植物生育装置１を停止させるか否かを判定する。この判定は、例えば、パーソナル・コンピュータ１００のディスプレイ１０２上において、本実施の形態の植物生育装置１を停止させるか否かの旨を表示し、その表示を見たユーザが、キーボード１０３やマウス１０４などにより、本実施の形態の植物生育装置１を停止させるか否かの意思表示を入力することにより行う。ここで、本実施の形態の植物生育装置１を停止させないと判定した場合には（Ｓ１９：ＮＯ）、何もすることなく、この制御プログラムを終了させる一方、本実施の形態の植物生育装置１を停止させると判定した場合には（Ｓ１９：ＹＥＳ）、Ｓ２０に進んで、制御機器８に対して停止命令を送信した後、この制御プログラムを終了させる。
【００３６】
一方、本実施の形態の植物生育装置１の側（制御機器８の主制御回路２２のＣＰＵ）においては、図４にフローチャートが示された制御プログラムを実行すると、先ず、Ｓ１０１において、パーソナル・コンピュータ１００から命令を受信したか否かを判定する。ここで、パーソナル・コンピュータ１００から命令を受信していないと判定した場合には（Ｓ１０１：ＮＯ）、図示しないメインプログラムなどに復帰する。一方、パーソナル・コンピュータ１００から命令を受信したと判定した場合には（Ｓ１０１：ＹＥＳ）、Ｓ１０２に進む。
【００３７】
そして、Ｓ１０２では、受信した命令が設定命令であるか否かを判定する。ここで、設定命令であると判定した場合には（Ｓ１０２：ＹＥＳ）、Ｓ１０３に進んで、設定命令とともに受信した各実行条件をＣＣＤカメラ制御回路２３や、発光源制御回路２４、給水器制御回路２５にそれぞれ送信し、その後に、図示しないメインプログラムなどに復帰する。尚、各制御回路２３，２４，２５においては、それぞれ受信した実行条件をＲＡＭに上書きする。
【００３８】
一方、設定命令でないと判定した場合には（Ｓ１０２：ＮＯ）、Ｓ１０４に進んで、受信した命令が実行命令であるか否かを判定する。ここで、実行命令であると判定した場合には（Ｓ１０４：ＹＥＳ）、Ｓ１０５に進む。
【００３９】
そして、Ｓ１０５では、ＣＣＤカメラ制御回路２３に対してＣＣＤカメラ７や画像データの転送を上記Ｓ１０３で設定された実行条件で行わせ、且つ、発光源制御回路２４に対してＬＥＤ発光源６を上記Ｓ１０３で設定された実行条件で行わせ、且つ、給水器制御回路２５に対して給水器１２を上記Ｓ１０３で設定された実行条件で行わせ、その後に、図示しないメインプログラムなどに復帰する。
【００４０】
一方、実行命令でないと判定した場合には（Ｓ１０４：ＮＯ）、Ｓ１０６に進んで、受信した命令が停止命令であるか否かを判定する。ここで、停止命令であると判定した場合には（Ｓ１０６：ＹＥＳ）、Ｓ１０７に進む。
【００４１】
そして、Ｓ１０７では、ＣＣＤカメラ制御回路２３に対してＣＣＤカメラ７や画像データの転送の実行を停止させ、且つ、発光源制御回路２４に対してＬＥＤ発光源６の実行を停止させ、且つ、給水器制御回路２５に対して給水器１２の実行を停止させ、その後に、図示しないメインプログラムなどに復帰する。
【００４２】
一方、停止命令でないと判定した場合には（Ｓ１０６：ＹＥＳ）、Ｓ１０８に進んで、その他の処理を行い、その後に、図示しないメインプログラムなどに復帰する。
【００４３】
従って、本実施の形態の植物生育装置１においては、ＵＳＢケーブル５１を介して、パーソナル・コンピュータ１００の本体１０１に制御機器８が接続されると、ＬＥＤ発光源６や、ＣＣＤカメラ７、給水器１２などに電力が供給されて動作できるようになり、さらに、パーソナル・コンピュータ１００の本体１０１に内蔵されたＣＰＵの制御の下で、ＣＣＤカメラ制御回路２３によってＣＣＤカメラ７が自動操作され、発光源制御回路２４によってＬＥＤ発光源６が自動操作され、給水器制御回路２５によって給水器１２が自動操作され、さらに、ＣＣＤカメラ７で撮影された画像データがパーソナル・コンピュータ１００の本体１０１に内蔵されたメモリに記憶され、草花２の生育状態をパーソナル・コンピュータ１００に記録することができる。
【００４４】
また、パーソナル・コンピュータ１００においては、キーボード１０３やマウス１０４などで動作命令を入力することにより、ＣＣＤカメラ７や、ＬＥＤ発光源６、給水器１２をリアルタイムで操作したり、ＣＣＤカメラ７で撮影された画像データをその場でダウンロードさせることも可能である。
【００４５】
以上詳細に説明したように、本実施の形態の植物生育装置１では、フード部５の外部から鉢植え４を照らすＬＥＤ発光源６の動作制御及びフード部５の外部から鉢植え４を撮影するＣＣＤカメラ７の動作制御を行う制御機器８にＵＳＢポート９を備え、そのＵＳＢポート９を介して、制御機器８に電力供給が行われるとともにＣＣＤカメラ７で撮影された画像データが転送されることから、光や成長記録などの植物の生育管理をパーソナル・コンピュータ１００の周辺機器として行うことができる。
【００４６】
また、本実施の形態の植物生育装置１では、ＬＥＤ発光源６を面光源とする導光板１０によって、ＬＥＤ発光源６からの光を鉢植え４の草花２に満遍なく照らすことができるので、鉢植え４の草花２の成長に適した光を放つことができる。
【００４７】
また、本実施の形態の植物生育装置１では、制御機器８から突出したフレキシブルケーブル１１の先端にＣＣＤカメラ７を固定しており、フレキシブルケーブル７を曲げることによって、ＣＣＤカメラ７の撮影角度を自在に変更することができることから、ＣＣＤカメラ７の撮影による草花２の成長記録（画像データ）をお好みのアングルでとることができる。
【００４８】
また、本実施の形態の植物生育装置１では、鉢植え４に給水するためのノズル１３が設けられた給水器１２を制御機器８で動作制御を行っているので、水などの植物の生育管理をパーソナル・コンピュータ１００の周辺機器として行うことができる。
【００４９】
尚、本発明は上記実施の形態に限定されるものでなく、その趣旨を逸脱しない範囲で様々な変更が可能である。
例えば、本実施の形態の植物生育装置１では、給水器１２で鉢植え４に給水している。この点、フード部５内に湿気を供給する加湿器を制御機器８で動作制御することにより、鉢植え４に水分を供給してもよい。この場合、フード部５から湿気が漏れても、冬場等であれば、室内の乾燥空気を改善するのに役立つ。
【００５０】
また、本実施の形態の植物生育装置１の鉢植え４においては、草花２として、例えば、アロエが鉢３に植え込まれていると、観葉植物としての癒し空間を作り出すとともに、その葉を薬用として用いることもできる。また、草花２に代わって、草木が鉢３に植え込まれていてもよい。さらに、普通鉢などを使用した土壌栽培が行われるものだけででなく、底面給水鉢などを使用した水栽培が行われるものであってもよい。
【産業上の利用可能性】
【００５１】
本発明は、パーソナル・コンピュータの周辺機器の作成技術に適用し得る。
【図面の簡単な説明】
【００５２】
【図１】本実施の形態の植物生育装置の概要を示した斜視図である。
【図２】本実施の形態の植物生育装置の制御機器がパーソナル・コンピュータとＵＳＢ接続された際のブロック図である。
【図３】本実施の形態の植物生育装置をパーソナル・コンピュータで自動操作するための制御プログラムであって、パーソナル・コンピュータの側で実行されるもののフローチャート図である。
【図４】本実施の形態の植物生育装置をパーソナル・コンピュータで自動操作するための制御プログラムであって、本実施の形態の植物生育装置の側で実行されるもののフローチャート図である。
【符号の説明】
【００５３】
１  植物生育装置
２  草花
３  鉢
４  鉢植え
５  フード部
６  ＬＥＤ発光源
７  ＣＤＤカメラ
８  制御機器
９  ＵＳＢポート
１０  導光板
１２  給水器
１３  ノズル
５１  ＵＳＢケーブル
５２  周辺機器側ＵＳＢコネクタ
１００  パーソナル・コンピュータ
【図１】
2007104932.tif 000003
【図２】
2007104932.tif 000004
【図３】
2007104932.tif 000005
【図４】
2007104932.tif 000006